(57)【要約】本発明は、半永続スケージューリングの方法を提供する。半永続スケージューリング周期が至る場合、発展型ノードＢ ｅＮＢと端末ＵＥは、若干のサブフレームを含む、その周期が半永続スケージューリング周期に等しいサブフレームグループで１個のサブフレームを今回の半永続スケージューリングに用いられるサブフレームとして選択する。本発明の技術案は、異なるサブフレームグループでの同じ位置のサブフレームがＨＡＲＱのデータパケットの初期伝送と再送との衝突が発生する可能性が大きいサブフレームであると考えるため、サブフレームグループでのサブフレームの数を合理的に配置し、サブフレームグループでの異なるサブフレームを交互に用いることで、ＨＡＲＱの初期送信とＨＡＲＱの再送との衝突が発生する間隔の長さを増加し、ＨＡＲＱの初期伝送と再送との衝突を減少するという目的を実現する。【選択図】図５
2011529309.tif 000002
【特許請求の範囲】
【請求項１】
半永続スケージューリング周期が到来すると、発展型ノードＢ ｅＮＢと端末ＵＥは、複数のサブフレームを含む、その周期が半永続スケージューリング周期に等しいサブフレームグループから１個のサブフレームを今回の半永続スケージューリングに用いられるサブフレームとして選択する半永続スケージューリングの方法。
【請求項２】
１回の半永続スケージューリングに、ｅＮＢとＵＥは、サブフレームグループで選択した今回の半永続スケージューリングに用いられるサブフレームのサブフレームグループでの相対位置は、同じであるが、任意の２回の隣り合う半永続スケージューリングに用いるサブフレームのサブフレームグループでの相対位置は、同じではない
ことを特徴とする請求項１に記載の方法。
【請求項３】
前記サブフレームグループ周期が半永続スケージューリング周期に等しいことは、
隣り合うサブフレームグループにおいて、サブフレームグループでの相対位置が同じサブフレームの間の間隔のサブフレーム数が半永続スケージューリング周期に等しく、
前記半永続スケージューリング周期がサブフレームの数で表されて、ＬＴＥ ＴＤＤシステムに対して、前記半永続スケージューリング周期が上りまたは下りサブフレームのみ、又は、上りと下りサブフレームを含むことである
ことを特徴とする請求項１に記載の方法。
【請求項４】
前記半永続スケージューリング周期は、ｅＮＢによってＵＥに通知される
ことを特徴とする請求項３に記載の方法。
【請求項５】
１回の半永続スケージューリングに、ｅＮＢとＵＥがサブフレームグループで相対位置が同じサブフレームを選択して今回の半永続スケージューリングに用いることは、
ｅＮＢとＵＥがいずれも順次または逆順にサブフレームグループでのサブフレームを次々と循環し選択し、サブフレームグループに含まれるサブフレームが時間的に配列されることである
ことを特徴とする請求項２に記載の方法。
【請求項６】
システムによって順次または逆順方式に従って選択することを規定し、又は、ｅＮＢによってＵＢに順次または逆順方式に従って選択することを知らせる
ことを特徴とする請求項５に記載の方法。
【請求項７】
前記サブフレームグループは、
ｅＮＢは、ＵＥにサブフレームグループのサブフレームの数Ｎを知らせ、半永続スケージューリング過程に、ｅＮＢは、半永続スケージューリングに授権された物理下り制御チャンネルＰＤＣＣＨによりＵＥにサブフレームグループの先頭サブフレームを指示し、
ＬＴＥ ＴＤＤシステムにおける上り半永続スケージューリングに対して、前記先頭サブフレーム及びそれに後続し連続するＮ-１個の上りサブフレームからサブフレームグループを構成することによって決定される
ことを特徴とする請求項１〜６のいずれかの１つに記載の方法。
【請求項８】
前記サブフレームグループは、
ｅＮＢは、ＵＥにサブフレームグループの先頭サブフレームとサブフレームの数Ｎを知らせ、
ＬＴＥ ＴＤＤシステムにおける上り半永続スケージューリングに対して、先頭サブフレームが下りサブフレームであると、先頭サブフレームの後の一番目の上りサブフレームからのＮ個の上りサブフレームでサブフレームグループを構成し、また、先頭サブフレームが上りサブフレームであると、先頭サブフレーム及びそれに後続し連続するＮ-１個の上りサブフレームからサブフレームグループを構成することによって決定される
ことを特徴とする請求項１〜６のいずれかの１つに記載の方法。
【請求項９】
前記サブフレームグループは、
システムが、予め複数のサブフレームグループを定義し、各サブフレームグループに１個の索引番号を配置し、及び、ｅＮＢは、索引番号またはサブフレームグループを指示するための指示情報をＵＥに知らせることによって決定される
ことを特徴とする請求項１〜６のいずれかの１つに記載の方法。
【請求項１０】
半永続スケージューリングが初めてアクティブにされた場合、ｅＮＢは、半永続スケージューリングに授権されたＰＤＣＣＨによりＵＥにサブフレームグループのうちの１個のサブフレームが一番目の半永続スケージューリングに用いられるサブフレームとされることを指示する
ことを特徴とする請求項１〜６のいずれかの１つに記載の方法。
【発明の詳細な説明】
【技術分野】
【０００１】
本発明は、通信領域に関し、特に半永続スケジューリングの方法に関する。
【背景技術】
【０００２】
第三世代移動通信ＬＴＥ（Ｌｏｎｇ Ｔｅｒｍ Ｅｖｏｌｕｔｉｏｎ 、略称：ＬＴＥ）システムの「発展型ユニバーサル地上無線アクセスネットワーク（Ｅｖｏｌｖｅｄ ＵｎｉｖｅｒｓａｌＴｅｒｒｅｓｔｒｉａｌ Ｒａｄｉｏ Ａｃｃｅｓｓ Ｎｅｔｗｏｒｋ 、略称：Ｅ-ＵＴＲＡＮ）」の無線インターフェイスプロトコル上り層２の構造は、図１に示すようなものである。
【０００３】
媒体アクセス制御（Ｍｅｄｉａ Ａｃｃｅｓｓ Ｃｏｎｔｒｏｌ、略称：ＭＡＣ）プロトコル層に、スケジューリング（ｓｃｈｅｄｕｌｉｎｇ）/優先順位処理（ｐｒｉｏｒｉｔｙ ｈａｎｄｌｉｎｇ）機能エンティティが存在する。その中、スケジューリング機能は、ダイナミックスケジューリング（Ｄｙｎａｍｉｃｓｃｈｅｄｕｌｉｎｇ）と半永続スケジューリング（または半静態スケジューリングと称される）をサポートする。優先順位処理機能は、同一のユーザ設備（Ｕｓｅｒ Ｅｑｕｉｐｍｅｎｔ、略称：ＵＥ）の異なる論理チャンネルの間の優先順位処理をサポートし、ダイナミックスケジューリングによる異なるＵＥの間の優先順位処理もサポートする。
【０００４】
上りダイナミックスケジューリング機能とは、上りに、Ｅ-ＵＴＲＡＮが層１/層２（Ｌ１/Ｌ２）制御チャンネルの上のセル-無線ネットワーク臨時識別子（Ｃｅｌｌ Ｒａｄｉｏ Ｎｅｔｗｏｒｋ Ｔｅｍｐｏｒａｒｙ Ｉｄｅｎｔｉｆｉｅｒ、略称：Ｃ-ＲＮＴＩ）により、各伝送時間間隔（Ｔｒａｎｓｍｉｔ Ｔｉｍｅ Ｉｎｔｅｒｖａｌ、略称：ＴＴＩ）ごとに資源、例えば、物理リソースブロック（ＰｈｙｓｉｃａｌＲｅｓｏｕｒｃｅ Ｂｌｏｃｋ、略称：ＰＲＢ）と変調符号化スキーム（Ｍｏｄｕｌａｔｉｏｎ ａｎｄ Ｃｏｄｉｎｇ Ｓｃｈｅｍｅ、略称：ＭＣＳ）をＵＥへ割り当てることができるものである。下り受信を許可する（不連続受信（ＤＲＸ（ダウンリンク））機能によって制御される）場合、ＵＥは、層１/層２制御チャンネルを常に監視し制御して、上り送信に可能なリソース割り当てを発見する。ここで、層１/層２制御チャンネルは、物理下り制御チャンネル（ＰｈｙｓｉｃａｌＤｏｗｎｌｉｎｋ Ｃｏｎｔｒｏｌ Ｃｈａｎｎｅｌ、略称：ＰＤＣＣＨ）であり、上りスケジューリングに用いられる時に主に上りスケジューリング授権（ＵＬ Ｇｒａｎｔ）を携帯する。上りスケジューリングを行う場合に、ＵＥは、物理上り制御チャンネル（Ｐｈｙｓｉｃａｌ Ｕｐｌｉｎｋ ＣｏｎｔｒｏｌＣｈａｎｎｅｌ、略称：ＰＤＣＣＨ）よりスケジューリング要求（ＳＲ）とチャンネル品質指示（Ｃｈａｎｎｅｌ Ｑｕａｌｉｔｙ Ｉｎｄｉｃａｔｏｒ、略称：ＣＱＩ）を携帯する。上りデータが、物理上り共有チャンネル（ＰｈｙｓｉｃａｌＵｐｌｉｎｋ Ｓｈａｒｅｄ Ｃｈａｎｎｅｌ、略称：ＰＵＳＣＨ）に送信される。Ｅ-ＵＴＲＡＮは、物理混合自動再送要求指示チャンネル（ＰｈｙｓｉｃａｌＨｙｂｒｉｄ ＡＲＱ Ｉｎｄｉｃａｔｏｒ Ｃｈａｎｎｅｌ、略称：ＰＨＩＣＨ）によりＵＥの上り送信に対して混合自動再送要求の確認/非確認応答メッセージＡＣＫ/ＮＡＣＫをフィード・バックする。
【０００５】
上り半永続スケジューリングは、Ｅ-ＵＴＲＡＮがＵＥの初めての混合自動再送要求（Ｈｙｂｒｉｄ ＡＲＱ、略称：ＨＡＲＯ）のために割り当ての予め定義される上りリソース、例えばタイミング（Ｔｉｍｉｎｇ）、リソース、伝送フォーマット（Ｔｒａｎｓｐｏｒｔｆｏｒｍａｔ）パラメーターなどが送信できる。ＵＥが予めリソースを割り当てられるサブフレーム（Ｓｕｂｆｒａｍｅ）期間に、ＵＥがＬ１/Ｌ２制御チャンネルにそのＣ-ＲＮＴＩを発見しないと、ＵＥは、対応するＴＴＩに予め定義されるリソースに基づいて上り送信を行う。ネットワークは、予め定義される変調符号化スキーム（ＭＣＳ）に基づい予め定義される物理リソースブロックに対してデコードする。また、ＵＥが予めリソースを割り当てられるサブフレーム期間に、ＵＥがＬ１/Ｌ２制御チャンネルにそのＣ-ＲＮＴＩを発見すると、ＵＥは、対応するＴＴＩにＬ１/Ｌ２制御チャンネルが指示した情報に基づいて上り送信を行い、つまり、Ｌ１/Ｌ２制御チャンネルの割り当てが、対応するＴＴＩの予め定義される割り当てをオーバーライド（Ｏｖｅｒｒｉｄｅ）し、即ち、対応するＴＴＩに、ダイナミックスケジューリングが半永続スケージューリングをオーバーライドするかもしれない。
【０００６】
一般的に、ＨＡＲＱの再送はダイナミックスケジューリングモードを使用するが、半永続スケージューリングモードも使用するかもしれない。典型的に、半永続スケージューリングはＶｏＩＰ業務に応用される。半永続スケージューリングは、無線リソース制御（ＲＲＣ）シグナルによって初期配置され、例えば、半永続スケジューリング周期（Ｐｅｒｉｏｄｉｃｉｔｙ）、または称される半永続スケジューリング間隔を割り当てる。半永続スケジューリングのアクティブ（Ａｃｔｉｖａｔｉｏｎ）は、ＰＤＣＣＨによって制御され、ＰＤＣＣＨが一定の構造により上り授権（ＵＬ Ｇｒａｎｔ）が半永続であるか、ダイナミックであるかを指示し、例えば、ＰＤＣＣＨがダイナミックスケジューリングの時に用いたＣ-ＲＮＴＩと異なる特殊なＣ-ＲＮＴＩにより指示する。ユーザ設備は、予め定義される半永続リソースを割り当てられた後、一般的な場合では、再びＰＵＣＣＨによりスケジューリング要求を送信する必要がない。ダイナミックスケジューリングまたは半永続スケジューリングのＨＡＲＱの再送は、いずれも自動適応再送モードまたは非自動適応再送モードを使用することができる。ＨＡＲＱの初期送信とＨＡＲＱの再送信との時間差は、ＨＡＡＲ遅延時間（ＲＴＴ）と称される。
【０００７】
上り半永続スケージューリング伝送に対しては、同期ＨＡＲＱ技術を採用したため、半永続スケージューリング過程に、半永続スケージューリング周期とＨＡＲＱＲＴＴの最小公倍数が過小であり、つまり、ＨＡＲＱの再送と半永続スケージューリングのタイミング衝突が発生するかもしれない間隔が過小である場合では、この場合に余分なＰＤＣＣＨシグナルスケージューリングを必要する。例えば、ＬＴＥＴＤＤ（時分割複信）システムにおいて、ＬＴＥ ＴＤＤシステムにおける典型的な上りスケージューリング伝送するＨＡＲＱ ＲＴＴは１０ｍｓであるが、半永続スケージューリングの重要な応用場合ボイスオーバーインターネットプロトコル（ＶｏＩＰ）業務のデータ到達間隔（ｄａｔａａｒｒｉｖａｌ ｉｎｔｅｒｖａｌ）は２０ｍｓであるため、通常、半永続スケージューリング周期も２０ｍｓに設定され、ちょうどＨＡＲＱ  ＲＴＴＴの２倍である。それらの最小公倍数が２０ｍｓであり、つまりＨＡＲＱの再送と半永続スケージューリングのタイミング衝突の発生するかもしれない間隔が２０ｍｓである。図２に示すように、その中、横縞付けの四角枠は、ＨＡＲＱの初期データパケットを送信するサブフレームを示す。縦縞付けの四角枠は、ＨＡＲＱのデータパケットを送信する再送のサブフレームを示す。その中の数字は、いずれも何番目のＨＡＲＱのデータパケットを示す。二番目のＶｏＩＰのＨＡＲＱパケットが初めて送信されると、一番目のＶｏＩＰパケットの第２回再送と衝突する。無線環境がより悪く、再送がより多いと、このような衝突が２０ｍｓずつ発生して、このような衝突によるＰＤＣＣＨの上のシグナルオーバーヘッドが明らかに増加する。新しい半永続スケージューリング周期を配置して、それとＨＡＲＱＲＴＴ の最小公倍数を拡大して、衝突間隔を増加するという目的を実現することが提出される。このようにすると、半永続スケージューリング周期とデータ到達間隔が一致しなくて、上層が到達したデータをある期間でキャッシングして最近の１個の半永続スケージューリング周期までに送信しなくて、時間が経つに伴ってキャッシングする遅延時間が大きくなり、データ到達間隔に等しいまでに、２つの上層データパケットを１回に送信する必要がある。予め授権された半永続スケージューリングの帯域幅が満足することができないため、新たにＦＤＣＣＨを使用してダイナミックスケジューリングを１回授権する必要があるまでのことになる。ＬＴＥＴＤＤの無線フレームの長さは１０ｍｓである。そのフレーム構造は、図３に示すように、１個の無線フレームにおける上り下りサブフレームの配置は、通常、７種類があり、表１と図４に示すようなものである。
【０００８】
【表１】
2011529309.tif 000003
【発明の概要】
【発明が解決しようとする課題】
【０００９】
本発明の解決しようとする技術的な課題は、ＨＡＲＱの再送と半永続スケージューリングのタイミング衝突間隔を延長し、半永続スケージューリングタイミング周期とデータ到達間隔がマッチングしないと上層が余分なキャッシングを必要することによる他の問題を避けることができるような半永続スケージューリングタイミングの方法を提供する。
【課題を解決するための手段】
【００１０】
半永続スケージューリングの方法は、半永続スケージューリング周期が到来すると、発展型ノードＢ ｅＮＢと端末ＵＥが、複数のサブフレームを含む、その周期が半永続スケージューリング周期に等しいサブフレームグループから１個のサブフレームを今回の半永続スケージューリングに用いられるサブフレームとして選択する。
【００１１】
さらに、１回の半永続スケージューリングに、ｅＮＢとＵＥがサブフレームグループで選択した今回の半永続スケージューリングに用いられるサブフレームのサブフレームグループでの相対位置は、同じであるが、任意の２回の隣り合う半永続スケージューリングに用いるサブフレームのサブフレームグループでの相対位置は、同じではない。
【００１２】
さらに、前記サブフレームグループ周期が半永続スケージューリング周期に等しいことは、
隣り合うサブフレームグループに、サブフレームグループでの相対位置が同じサブフレームの間の間隔のサブフレーム数が半永続スケージューリング周期に等しく、
前記半永続スケージューリング周期がサブフレームの数で表され、ＬＴＥ ＴＤＤシステムに対して、前記半永続スケージューリング周期が上りまたは下りサブフレームのみ、又は、上りと下りサブフレームを含むことを指す。
【００１３】
さらに、前記半永続スケージューリング周期は、ｅＮＢによってＵＥに通知される。
【００１４】
さらに、１回の半永続スケージューリングに、ｅＮＢとＵＥがサブフレームグループで相対位置が同じサブフレームを選択して今回の半永続スケージューリングに用いることは、
ｅＮＢとＵＥがいずれも順次または逆順にサブフレームグループでのサブフレームを次々と循環し選択し、サブフレームグループに含まれるサブフレームが時間的に配列されることを指す。
【００１５】
さらに、上記の方法は、システムによって順次または逆順方式に従って選択することを規定し、又は、ｅＮＢによってＵＢに順次または逆順方式に従って選択することを知らせることを含む。
【００１６】
さらに、サブフレームグループは、以下のような方式に従って決定されてもよい。
ｅＮＢは、ＵＥにサブフレームグループの数Ｎを知らせ、半永続スケージューリング過程に、ｅＮＢは半永続スケージューリングに授権された物理下り制御チャンネルＰＤＣＣＨによりＵＥにサブフレームグループの先頭サブフレームを指示し、
ＬＴＥ ＴＤＤシステムにおける上り半永続スケージューリングに対して、前記先頭サブフレーム及びそれに後続し連続するＮ-１個の上りサブフレームがサブフレームグループを構成する。
【００１７】
さらに、サブフレームグループは、以下のような方式に従って決定されてもよい。
ｅＮＢは、ＵＥにサブフレームグループの先頭サブフレームとサブフレームの数Ｎを知らせ、
ＬＴＥ ＴＤＤシステムにおける上り半永続スケージューリングに対して、先頭サブフレームが下りサブフレームであると、先頭サブフレームの後の一番目の上りサブフレームからのＮ個の上りサブフレームがサブフレームグループを構成し、また、先頭サブフレームが上りサブフレームであると、先頭サブフレーム及びそれに後続し連続するＮ-１個の上りサブフレームがサブフレームグループを構成する。
【００１８】
さらに、サブフレームグループは、以下のような方式に従って決定されてもよい。
システムは、予め複数のサブフレームグループを定義し、各サブフレームグループに１個の索引番号を配置し、ｅＮＢは、索引番号またはサブフレームグループを指示するための指示情報をＵＥに知らせる。
【００１９】
さらに、半永続スケージューリングが初めてアクティブされた場合、ｅＮＢは、半永続スケージューリングに授権されたＰＤＣＣＨによりＵＥにサブフレームグループのうちの１個のサブフレームが一番目の半永続スケージューリングに用いられるサブフレームとされることを指示する。
【図面の簡単な説明】
【００２０】
【図１】Ｅ-ＵＴＲＡＮ上り層２の構造を示す図である。
【図２】ＨＡＲＱの初期伝送と再送との衝突を示す図である。
【図３】ＬＴＥ ＴＤＤシステムにおける無線フレーム構造を示す図である。
【図４】ＬＴＥ ＴＤＤシステムにおける無線フレームの配置を示す図である。
【図５】本発明による実施例一を示す図である。
【図６】本発明による実施例二を示す図である。
【図７】本発明による実施例三を示す図である。
【発明を実施するための形態】
【００２１】
以下に図面及び実施例を結び付けて本発明の技術案に対してより詳細に説明する。
【００２２】
本発明は、ＨＡＲＱの初期伝送と再送との衝突が発生する間隔の長さを増加し、半永続スケージューリングに資源衝突が発生するかもしれない問題を解決するように、半永続スケージューリングの方法を提供して、下記の内容を含める。
【００２３】
半永続スケージューリング周期が到来すると、ｅＮＢとＵＥは、複数のサブフレームを含み、周期が半永続スケージューリング周期に等しいサブフレームグループから今回の半永続スケージューリングに用いられる１個のサブフレームを選択する。
【００２４】
その中、１回の半永続スケージューリングに、ｅＮＢとＵＥがサブフレームグループで選択した今回の半永続スケージューリングに用いられるサブフレームのサブフレームグループでの相対位置は同じであるが、任意の２回の隣り合う半永続スケージューリングに用いるサブフレームのサブフレームグループでの相対位置は同じではない。
【００２５】
その中、前記サブフレームグループ周期が半永続スケージューリング周期に等しいことは、隣り合うサブフレームグループに、サブフレームグループでの相対位置が同じサブフレームの間の間隔のサブフレーム数が半永続スケージューリング周期に等しく、前記半永続スケージューリング周期がサブフレームの数で表され、ＬＴＥＴＤＤシステムに対して、前記半永続スケージューリング周期が上りまたは下りサブフレームのみ、又は、上りと下りサブフレームを含むことを示していてもよい。ＬＴＥ ＦＤＤシステムに対して、上りと下りサブフレームを含むことができる。本文に記載した「サブフレーム間の間隔のサブフレーム数」とは、２個のサブフレームの間にあるサブフレームの数＋１であり、例えばｎｆ無線フレームの３号サブフレームとｎｆ＋２無線フレームの３号サブフレームの本文での間隔が２０個のサブフレームであると注意すべきである。
【００２６】
好ましいのは、前記半永続スケージューリング周期（又は半永続スケージューリング間隔と称される）は、発展型ノードＢ（ｅＮＢ）によって端末（ＵＥ）に通知され、通常、データ到達間隔に等しいことである。
【００２７】
サブフレームグループに含まれるサブフレームの数Ｎは、１より大きく、半永続スケージューリング周期における上りサブフレームの数以下の整数である。Ｎが大きいほどＨＡＲＱの再送と半永続スケージューリングのタイミング衝突の発生可能の間隔が大きくなるが、必要なキャッシングが多くなるため、実際のシステムによって折中し選択することができる。
【００２８】
好ましいのは、ＬＴＥ ＴＤＤシステムにおいて、当該方法が上り半永続スケージューリングに用いられると、サブフレームグループに含まれるサブフレームは、全て上りサブフレームである。当該方法が下り半永続スケージューリングに用いられると、サブフレームグループに含まれるサブフレームは、全て下りサブフレームである。ＬＴＥ ＦＤＤシステムにおいて、当該方法が上りまたは下り半永続スケージューリングに用いられると、サブフレームグループに含まれるサブフレームには特殊な要求はない。
【００２９】
好ましいのは、サブフレームグループを決定する方式は、以下のような３種類のうちのいずれかの１種類またはいくつかの種類を含む。
【００３０】
（１）ｅＮＢは、ＵＥにサブフレームグループのサブフレームの数Ｎを知らせる。半永続スケージューリング過程に、ｅＮＢは、半永続スケージューリングに授権されたＰＤＣＣＨによりＵＥにサブフレームグループの先頭サブフレームを指示する。ＬＴＥＴＤＤシステムにおける上り半永続スケージューリングに対しては、前記先頭サブフレーム及びそれに後続し連続するＮ-１個の上りサブフレームからサブフレームグループを構成する。ＬＴＥＴＤＤシステムにおける下り半永続スケージューリング状況とＬＴＥ ＦＤＤシステムの状況は、類推することができる。
【００３１】
（２）ｅＮＢは、端末ＵＥにサブフレームグループの先頭サブフレームとサブフレームの数Ｎを知らせる。ＬＴＥ ＴＤＤシステムにおける上り半永続スケージューリングに対しては、先頭サブフレームが下りサブフレームであると、先頭サブフレームの後の一番目の上りサブフレームからのＮ個の上りサブフレームがサブフレームを構成する。先頭サブフレームが上りサブフレームであると、先頭サブフレーム及びそれに後続し連続するＮ-１個の上りサブフレームがサブフレームを構成する。ＬＴＥ ＴＤＤシステムにおける下り半永続スケージューリングの状況とＬＴＥＦＤＤシステムの状況は、類推することができる。
【００３２】
（３）システムは、予め複数のサブフレームグループを定義し、各サブフレームグループに１個の索引番号を配置する。ｅＮＢは、索引番号または特定のサブフレームグループを指示するための指示情報をＵＥに知らせる。サブフレームグループは、そのパラメーターで定義され、先頭サブフレームとＮのデリファレンを含んで、サブフレームグループの構成が上記の２つの状況と同じである。当然、実際に応用する場合、サブフレームグループにおけるサブフレーム番号またはグループでのサブフレームの特徴――例えば無線フレームにおける全ての上りサブフレームなどを直接に定義することもできる。このようにサブフレームグループの構成は、定義される時に既に固定された。
【００３３】
その中、先頭サブフレームは、そのサブフレーム番号で表すことができる。
【００３４】
その中、（１）、（２）の２つの状況に対して、サブフレームグループにおけるサブフレームは、連続しなくてもよい。
【００３５】
好ましいのは、前記ｅＮＢが半永続スケージューリングに授権されたＰＤＣＣＨによりＵＥにサブフレームグループの先頭サブフレームを指示することは、ＵＥが下りサブフレームにｅＮＢから送信された半永続スケージューリングに授権されたＰＤＣＣＨを受信した後、当該下りサブフレームの後のＸ番目のサブフレームを先頭サブフレームとすることがであることができる。Ｘの値は、デフォルトされるものであり、またはシステムによって予め配置されるものである。
【００３６】
好ましいのは、ｅＮＢは、ＲＲＣを採用してＵＥに知らせられることにしてもよいが、これに限定されない。
【００３７】
好ましいのは、ｅＮＢとＵＥがサブフレームグループで同一のサブフレームを選択することは、ｅＮＢとＵＥがいずれも順次または逆順にサブフレームグループでのサブフレームを次々と循環し選択し、サブフレームグループに含まるサブフレームが時間的に配列されることがである。
【００３８】
具体的に、サブフレームグループでのＮ個のサブフレームを０、１、２、…、Ｎ-１に時間的にナンバリングする。各半永続スケージューリング周期が至る場合、サブフレームグループで、前回の半永続スケージューリングに対して、サブフレームの通し番号の順次または逆順方式に従って次の通し番号のサブフレームを選択する。例えばＮ個のサブフレームがあるサブフレームグループで、順次に選択するのはサブフレームを通し番号..、０、１、２、…、Ｎ-１、…、０、１、…の順次に次々と選択することである。逆順に選択するのは、サブフレームを通し番号…、０、Ｎ-１、Ｎ-２、…、１、０、Ｎ-１、…の順次に次々と選択することである。前記ナンバリングと通し番号に従って順次に選択する行為は、発展型ノードＢ（ｅＮＢ）と端末（ＵＥ）で互いに独立する暗黙行為であることができる。
【００３９】
好ましいのは、システムによってサブフレームを順次または逆順方式に従って選択することを規定し、または、ｅＮＢによってＵＥにサブフレームを順次または逆順方式に従って選択することを知らせる。
【００４０】
好ましいのは、半永続スケージューリングが初めてアクティブされた場合、ｅＮＢは、半永続スケージューリングに授権されたＰＤＣＣＨによりＵＥにサブフレームグループにあるサブフレームが一番目の半永続スケージューリングに用いられるサブフレームとされることを指示する。実際に応用する時に、ｅＮＢとＵＥは、先頭サブフレームを一番目の半永続スケージューリングに用いられるサブフレームとされ、又は、一番目の半永続スケージューリングに用いられるサブフレームを先頭サブフレームとされるように約束またはデフォルトしてもよい。
【００４１】
好ましいのは、前記ｅＮＢは、半永続スケージューリングに授権されたＰＤＣＣＨによりＵＥにサブフレームグループにあるサブフレームが一番目の半永続スケージューリングに用いられるサブフレームとされることを指示することは、ＵＥが下りサブフレームにｅＮＢから送信された半永続スケージューリングに授権されたＰＤＣＣＨを受信した後、当該下りサブフレームの後のＹ番目のサブフレームを一番目の半永続スケージューリングに用いられるサブフレームとすることであることができる。Ｙの値は、デフォルトされるものであり、またはシステムによって予め配置されるものである。
【００４２】
好ましいのは、１個のサブフレームを選択してそれを今回の半永続スケージューリングに用いられるサブフレームとすることは、今回の半永続スケージューリングに上りＨＡＲＱのデータパケットを送信する必要があると、当該サブフレームに送信する。
【００４３】
以下に３つ以上の半永続スケージューリングの時の実施例を用いてさらに説明する。
【００４４】
図５〜図７には、全て横縞付けの四角枠でＨＡＲＱの初期データパケットを送信するサブフレームを示す。縦縞付けの四角枠はＨＡＲＱのデータパケットを送信する再送のサブフレームを示す。その中の数字は全て何番目のＨＡＲＱのデータパケットを示す。
【００４５】
実施例一は、図５に示すように、ＴＤＤシステムにおいてサブフレームの配置方案による配置番号が６であり、表１と図４に示すように、データ到達間隔が２０ｍｓであることを例にする。
【００４６】
ステップ１１０において、ユーザ設備（ＵＥ）は、上り半永続スケージューリングを配置された。配置された半永続スケージューリング周期は２０個のサブフレームであって、上りサブフレームと下りフレームを含んで２０ｍｓに等しい。サブフレームグループの長さＮは２個のサブフレームである。発展型ノードＢ（ｅＮＢ）は半永続スケージューリング周期とサブフレームグループの長さＮをＲＲＣシグナルによりＵＥに知らせる。
【００４７】
ステップ１２０において、ＰＤＣＣＨは、シグナルを送信して、ｎｆ無線フレームの３号サブフレームに上り半永続スケージューリングを開始することを指示すると、サブフレームグループは、３号と４号サブフレームより構成される。
【００４８】
ステップ１３０において、ＵＥは、ｎｆ無線フレームの３号サブフレームに一番目の上りＨＡＲＱの初期データパケットを送信する。ＴＤＤシステムにＨＡＲＱＲＴＴが１０ｍｓであるため、ｎｆ＋１無線フレームの３号サブフレーム、ｎｆ＋２無線フレームの３号サブフレーム、ｎｆ＋３無線フレームの３号サブフレームは、全て、このＨＡＲＱパケットの再送サブフレームであるかもしれない。
【００４９】
ステップ１４０において、配置された半永続スケージューリング周期は２０個のサブフレームである。サブフレームグループの長さＮは２個のサブフレームである。二番目の無線サブフレームグループは、ｎｆ＋２無線フレームの３号と４号サブフレームに位置して、サブフレームの循環モードが順次循環であるため、ｎｆ＋２無線フレームの４号サブフレームに二番目の上りＨＡＲＱの初期データパケットを送信する。ｎｆ＋３無線フレームの４号サブフレーム、ｎｆ＋４無線フレームの４号サブフレームとｎｆ＋５無線フレームの４号サブフレームに二番目のＨＡＲＱパケットの再送が発生するかもしれない。
【００５０】
ステップ１５０において、３番目の無線サブフレームグループは、ｎｆ＋４無線フレームの３号と４号サブフレームに位置して、サブフレームの循環モードが順次循環であるため、ｎｆ＋４無線フレームの３号サブフレームに３番目のＨＡＲＱの初期データパケットを送信する。ｎｆ＋５無線フレームの３号サブフレーム、ｎｆ＋６無線フレームの３号サブフレームとｎｆ＋７無線フレームの３号サブフレームに３番目のＨＡＲＱパケットの再送が発生するかもしれない。
【００５１】
本発明において、半永続スケージューリングが実際に実行される間隔（即ち隣り合う、半永続スケージューリングに用いられる２個のサブフレームの間にあるサブフレームの数＋１）は、半永続スケージューリング周期（本実施例では２０つのサブフレームである）に等しいのとは限らなく、そして動態変化して、例えば本実施例で一番目、二番目の上りＨＡＲＱの初期データパケットを送信することに用いるサブフレームの間隔が２１個のサブフレームであるが、二番目、３番目の上りＨＡＲＱの初期データパケットを送信することに用いるサブフレームの間隔が１９個のサブフレームである。これは、まさに本発明の特徴の一つであって、伝統的な常規を打ち破った。また、隣り合う半永続スケージューリングが実際に実行されるサブフレームが異なるため、ＨＡＲＱの初期送信とＨＡＲＱの再送との衝突の発生レートを減少させた。
【００５２】
その後、ユーザ設備は、ステップ１３０、１４０と１５０の方法に従って類推して、上り半永続スケージューリングにおける毎回の上りＨＡＲＱのデータパケットの送信タイミングの計算とこの上りＨＡＲＱデータパケットの送信を行う。
【００５３】
実施例二は、図６に示すように、ＴＤＤシステムにおいてサブフレームの配置方案による配置番号が１であり、表１と図４に示すように、データ到達間隔が２０ｍｓであることを例にする。
【００５４】
ステップ２１０において、ユーザ設備（ＵＥ）は、上り半永続スケージューリング方案を配置された。配置されたスケージューリング周期は、２０個のサブフレームであって、上りサブフレームと下りサブフレームを含んで２０ｍｓに等しい。サブフレームグループは、無線フレームのうちの２号サブフレームを先頭サブフレームとして、サブフレームグループの長さＮが３個のサブフレームであり、サブフレームグループに順次に従って循環するように設置される。ｅＮＢは、半永続スケージューリング周期とサブフレームグループの長さＮをＲＲＣシグナルによりＵＥに知らせる。
【００５５】
ステップ２２０において、ＰＤＣＣＨは、シグナルを送信してｎｆ無線フレームの３号サブフレームに半永続スケージューリングを開始する。一番目の無線サブフレームは、ｎｆ無線フレームの２号、３号と７号サブフレームに位置する。
【００５６】
ステップ２３０において、ＵＥは、ｎｆ無線フレームの３号サブフレームに一番目の上りＨＡＲＱの初期データパケットを送信する。ＴＤＤシステムにＨＡＲＱＲＴＴが１０ｍｓであるため、ｎｆ＋１無線フレームの３号サブフレーム、ｎｆ＋２無線フレームの３号サブフレーム、ｎｆ＋３無線フレームの３号サブフレームは全てこのＨＡＲＱパケットの再送サブフレームであるかもしれない。
【００５７】
ステップ２４０において、配置された半永続スケージューリング周期は２０つのサブフレームである。二番目の無線サブフレームグループは、ｎｆ＋２無線フレームの２号、３号と７号サブフレームに位置して、配置によってサブフレームの循環モードが順次循環であるため、ｎｆ＋２無線フレームの７号サブフレームに二番目の上りＨＡＲＱの初期データパケットを送信する。ｎｆ＋３無線フレームの７号サブフレーム、ｎｆ＋４無線フレームの７号サブフレームとｎｆ＋５無線フレームウの７号サブフレームに二番目のＨＡＲＱパケットの再送が発生するかのしれない。
【００５８】
ステップ２５０において、３番目の無線フレームグループは、ｎｆ＋４無線フレームの２号、３号と７号サブフレームに位置して、配置によってサブフレームの循環モードが順次循環であるため、ｎｆ＋４無線フレームの２号サブフレームに３番目のＨＡＲＱの初期パケットを送信する。ｎｆ＋５無線フレームの２号サブフレーム、ｎｆ＋６無線フレームの２号サブフレームとｎｆ＋７無線フレームの２号サブフレームに３番目のＨＡＲＱパケットの再送が発生するかもしれない。
【００５９】
その後、ユーザ設備は、ステップ２３０、２４０と２５０の方法に従って類推して、上り半永続スケージューリングにおける毎回の上りＨＡＲＱのデータパケットの送信タイミングの計算とこの上りＨＡＲＱデータパケットの送信を行う。
【００６０】
実施例三は、図７に示すように、ＴＤＤシステムにおいてサブフレームの配置方案による配置番号が２であり、表１と図４に示すように、データ到達間隔が２０ｍｓであることを例にする。
【００６１】
ステップ３１０において、ユーザ設備（ＵＥ）は、上り半永続スケージューリング方案を配置された。配置されたスケージューリング周期は２０つのサブフレームであって、上りサブフレームと下りサブフレームを含んで２０ｍｓに等しい。サブフレームグループの設置はプロトコルによって予め定義するというモードを採用して、索引番号が０であるとする予め定義されるサブフレームグループは、同一の無線フレームでの全ての上りサブフレームであり、現在のサブフレームの配置方案で１０ｍｓの無線フレームで、即ち２号と７号サブフレームから１個のサブフレームグループを構成する。順次循環を採用して選択する。ｅＮＢは、半永続スケージューリング周期と当該予め定義されるサブフレームグループの索引０をＲＲＣによりＵＥに知らせる。
【００６２】
ステップ３２０において、ＰＤＣＣＨは、シグナルを送信してｎｆ無線フレームの２号サブフレームに半永続スケージューリングを開始することを指示する。一番目の無線フレームグループは、ｎｆ＋２無線フレームの２号と７号サブフレームに送信される。
【００６３】
ステップ３３０において、ＵＥは、ｎｆ無線フレームの２号サブフレームに一番目の上りＨＡＲＱの初期データパケットを送信する。ＴＤＤシステムにＨＡＲＱＲＴＴが１０ｍｓであるため、ｎｆ＋１無線フレームの２号サブフレーム、ｎｆ＋２無線フレームの２号サブフレーム、ｎｆ＋３無線フレームの２号サブフレームは全てＨＡＲＱの再送サブフレームがであるかもしれない。
【００６４】
ステップ３４０において、二番目の無線サブフレームグループはｎｆ＋２無線フレームの２号と７号サブフレームであって、サブフレームが順次循環で選択さるため、ｎｆ＋２無線フレームの７号サブフレームに二番目の上りＨＡＲＱの初期データパケットを送信する。ｎｆ＋３無線フレームの７号サブフレーム、ｎｆ＋４無線フレームの７号サブフレームとｎｆ＋５無線フレームの７号サブフレームに二番目のＨＡＲＱパケットの再送が発生するかもしれない。
【００６５】
ステップ３５０において、３番目のサブフレームグループは、ｎｆ＋４番目の２号と７号サブフレームであって、サブフレームが順次循環で選択されるため、ｎｆ＋４無線フレームの２号サブフレームに３番目の上りＨＡＲＱの初期データパケットを送信する。ｎｆ＋５無線フレームの２号サブフレーム、ｎｆ＋６無線フレームの２号サブフレームとｎｆ＋７番目の無線フレームの２号フレームに３番目のＨＡＲＱパケットの再送が発生するかもしれない。
【００６６】
その後、ユーザ設備は、ステップ３３０、３４０と３５０の方法に従って、類推して、上り半永続スケージューリングにおける毎回の上りＨＡＲＱのデータパケットの送信タイミングの計算とこの上りＨＡＲＱデータパケットの送信を行う。
【００６７】
当然、本発明は様々な実施例が可能である。実質及び要旨を逸脱しない範囲で、当業者が本発明に対して様々の改良および切替したものは、本発明の特許請求の範囲に含まれると理解すべきである。
【産業上の利用可能性】
【００６８】
本発明の技術案は、異なるサブフレームグループでの同じ位置のサブフレームがＨＡＲＱのデータパケットの初期伝送と再送との衝突が発生する可能性が大きいサブフレームであると考えるため、サブフレームグループでのサブフレームの数を合理的に配置し、サブフレームグループでの異なるサブフレームを交互に用いることで、ＨＡＲＱの初期送信とＨＡＲＱの再送との衝突が発生する間隔の長さを増加し、ＨＡＲＱの初期伝送と再送との衝突を減少するという目的を実現する。
【図１】
2011529309.tif 000004
【図２】
2011529309.tif 000005
【図３】
2011529309.tif 000006
【図４】
2011529309.tif 000007
【図５】
2011529309.tif 000008
【図６】
2011529309.tif 000009
【図７】
2011529309.tif 000010
【国際調査報告】
2011529309.tif 000011
2011529309.tif 000012
2011529309.tif 000013
2011529309.tif 000014